(57)【要約】【課題】二次電池同士が並ぶ方向、二次電池の幅方向及び二次電池の高さ方向に沿って第１二次電池に対して第２二次電池が変位したときにバスバに生じる応力を緩和可能な電池パックを提供すること。【解決手段】電池パック１は、第１二次電池１０Ａと、第２二次電池１０Ｂと、バスバと２０、を備える。前記第１二次電池１０Ａ及び前記第２二次電池１０Ｂは、容器１１と、正極端子１２と、負極端子１３と、を含む。前記バスバ２０は、前記第１二次電池１０Ａの前記正極端子１２と前記第２二次電池１０Ｂの前記負極端子１３とが並ぶ方向と平行な軸を中心とするらせん状に形成されている。【選択図】図１
2020140809.tif 000002
【特許請求の範囲】
【請求項１】
第１二次電池と、
第２二次電池と、
前記第１二次電池と前記第２二次電池とを電気的に接続するバスバと、を備え、
前記第１二次電池及び前記第２二次電池は、
容器と、
前記容器外に設けられた正極端子と、
前記容器外に設けられた負極端子と、を含み、
前記バスバは、前記第１二次電池の前記正極端子と前記第２二次電池の前記負極端子とが並ぶ方向と平行な軸を中心とするらせん状に形成されている、電池パック。
【発明の詳細な説明】
【技術分野】
【０００１】
本開示は、電池パックに関する。
【背景技術】
【０００２】
たとえば、特開２０１８−６０７４０号公報（以下、「特許文献１」という。）には、互いに隣接するように配置された一対の電池セルと、各電池セル同士を電気的に接続するバスバーと、を備える電池パックが開示されている。バスバーは、板状に形成されている。バスバーは、一対の電池セルの各電極端子に接続される一対の固定部と、一対の固定部同士を接続する接続部と、を有している。接続部には、長さ方向（一対の固定部同士を結ぶ方向）に平行な軸を回転軸として、固定部に対して９０度をなすように回転した状態にあり、固定部に対して立ち上がっている変位吸収片部が形成されている。変位吸収片部により、バスバーは、固定部同士が幅方向（電極端子が含まれる平面内において長さ方向と直交する方向）に相対変位可能なように形成されている。さらに、変位吸収片部は波状を呈した屈曲部を有している。屈曲部は、幅方向に波打つことにより、長さ方向に伸縮可能に形成されている。
【先行技術文献】
【特許文献】
【０００３】
【特許文献１】特開２０１８−６０７４０号公報
【発明の概要】
【発明が解決しようとする課題】
【０００４】
特許文献１に記載される電池パックでは、各電池セル同士が並ぶ方向に沿って一方の電池セルに対して他方の電池セルが変位したときにバスバーに生じる応力、及び、幅方向に沿って一方の電池セルに対して他方の電池セルが変位したときにバスバーに生じる応力は、緩和されるものの、電池セルの高さ方向（電極端子が含まれる平面と直交する方向）に沿って一方の電池セルに対して他方の電池セルが変位したときにバスバーに生じる応力は、緩和されない。
【０００５】
本開示の目的は、二次電池同士が並ぶ方向、二次電池の幅方向及び二次電池の高さ方向に沿って第１二次電池に対して第２二次電池が変位したときにバスバに生じる応力を緩和可能な電池パックを提供することである。
【課題を解決するための手段】
【０００６】
本開示に従った電池パックは、第１二次電池と、第２二次電池と、前記第１二次電池と前記第２二次電池とを電気的に接続するバスバと、を備える。前記第１二次電池及び前記第２二次電池は、容器と、前記容器外に設けられた正極端子と、前記容器外に設けられた負極端子と、を含む。前記バスバは、前記第１二次電池の前記正極端子と前記第２二次電池の前記負極端子とが並ぶ方向と平行な軸を中心とするらせん状に形成されている。
【０００７】
本電池パックでは、バスバは、第１二次電池の正極端子と第２二次電池の負極端子とが並ぶ端子並び方向と平行な軸を中心とするらせん状に形成されているため、端子並び方向に沿って第１二次電池に対して第２二次電池が変位したときにバスバに生じる応力に加え、端子並び方向と直交する平面内において第１二次電池に対して第２二次電池が変位したときにバスバに生じる応力も緩和される。よって、二次電池同士が並ぶ方向、二次電池の幅方向及び二次電池の高さ方向に沿って第１二次電池に対して第２二次電池が変位したときにバスバに生じる応力が緩和される。
【０００８】
また、前記バスバの幅方向における寸法は、前記バスバの長手方向の全域にわたって一定であることが好ましい。
【発明の効果】
【０００９】
以上に説明したように、本開示によれば、二次電池同士が並ぶ方向、二次電池の幅方向及び二次電池の高さ方向に沿って第１二次電池に対して第２二次電池が変位したときにバスバに生じる応力を緩和可能な電池パックを提供することができる。
【図面の簡単な説明】
【００１０】
【図１】本開示の一実施形態の電池パックの構成を概略的に示す平面図である。
【図２】図１に示される電池パックの側面図である。
【発明を実施するための形態】
【００１１】
本開示の実施形態について、図面を参照して説明する。なお、以下で参照する図面では、同一またはそれに相当する部材には、同じ番号が付されている。
【００１２】
図１は、本開示の一実施形態の電池パックの構成を概略的に示す平面図である。図２は、図１に示される電池パックの側面図である。この電池パック１は、例えば、車両の車室内に搭載される。図１に示されるように、本実施形態の電池パック１は、第１二次電池１０Ａと、第２二次電池１０Ｂと、バスバ２０と、を備えている。なお、電池パック１は、３個以上の二次電池を含んでいてもよい。
【００１３】
第１二次電池１０Ａと第２二次電池１０Ｂとは、一方向に並ぶように配置されている。各二次電池１０Ａ，１０Ｂは、同じ構成である。各二次電池１０Ａ，１０Ｂは、容器１１と、正極端子１２と、負極端子１３と、を有している。
【００１４】
容器１１は、直方体形状に形成されている。容器１１は、当該容器１１の厚さ方向が前記一方向と平行となるように配置されている。以下、第１二次電池１０Ａの容器１１と第２二次電池１０Ｂの容器１１とが並ぶ方向を「容器並び方向」と称する。容器１１は、正極（図示略）、負極（図示略）、セパレータ（図示略）、電解液などを収容している。正極、負極、電解液は、充電状態や温度に応じて膨張及び収縮する素材で構成されている。なお、互いに隣接する容器１１間には、絶縁材料からなるスペーサ（図示略）が配置されてもよい。
【００１５】
正極端子１２及び負極端子１３は、容器１１の上部に設けられている。正極端子１２及び負極端子１３は、容器１１の上面から上方に向かって突出する形状を有している。正極端子１２及び負極端子１３は、平板状に形成されている。図１に示されるように、正極端子１２及び負極端子１３は、容器１１の幅方向（正極端子１２及び負極端子１３が含まれる平面内おいて容器並び方向と直交する方向）に互いに離間した位置に配置されている。
【００１６】
バスバ２０は、第１二次電池１０Ａと第２二次電池１０Ｂとを電気的に接続している。本実施形態では、バスバ２０は、第１二次電池１０Ａの正極端子１２と第２二次電池１０Ｂの負極端子１３とを接続している。
【００１７】
バスバ２０は、第１二次電池１０Ａの正極端子１２と第２二次電池１０Ｂの負極端子１３とが並ぶ方向（以下、「端子並び方向」と称する。）と平行な軸を中心とするらせん状に形成されている。なお、端子並び方向は、容器並び方向と平行な方向に限らず、容器並び方向に対して僅かに傾斜する方向も含む。例えば、第１二次電池１０Ａの正極端子１２のうち幅方向における内側の部位と、第２二次電池１０Ｂの負極端子１３のうち幅方向における外側の部位とにバスバ２０が接続された場合、各接続部同士を結ぶ方向（端子並び方向）は、容器並び方向に対して僅かに傾斜する。本開示は、このような態様も含む。
【００１８】
バスバ２０は、金属からなる長尺状の平板をらせん状に加工することによって形成されている。前記平板の厚さは、当該平板の長手方向の全域にわたって一定である。前記平板の幅方向（平板の長手方向及び厚さ方向の双方に直交する方向）における寸法は、当該平板の長手方向の全域にわたって一定である。
【００１９】
バスバ２０は、第１接続部２１と、第２接続部２２と、中間部２３と、を有している。
【００２０】
第１接続部２１は、バスバ２０の一方側の端部に形成されている。第１接続部２１は、第１二次電池１０Ａの正極端子１２に溶接やボルト等によって接続されている。
【００２１】
第２接続部２２は、バスバ２０の他方側の端部に形成されている。第２接続部２２は、第２二次電池１０Ｂの負極端子１３に溶接やボルト等によって接続されている。
【００２２】
中間部２３は、第１接続部２１と第２接続部２２との間に形成されている。本実施形態では、中間部２３は、第１接続部２１と第２接続部２２との間において前記軸まわりに１回転する形状を有している。ただし、中間部２３は、第１接続部２１と第２接続部２２との間において前記軸まわりに２回転以上する形状に形成されてもよい。
【００２３】
以上に説明した電池パック１では、振動や各二次電池１０Ａ，１０Ｂの充放電に起因して、第１二次電池１０Ａに対して第２二次電池１０Ｂが変位する場合がある。
【００２４】
ただし、本実施形態の電池パック１では、バスバ２０は、端子並び方向と平行な軸を中心とするらせん状に形成されているため、端子並び方向に沿って第１二次電池１０Ａに対して第２二次電池１０Ｂが変位したときにバスバ２０に生じる応力に加え、端子並び方向と直交する平面内において第１二次電池１０Ａに対して第２二次電池１０Ｂが変位したときにバスバ２０に生じる応力も緩和される。よって、二次電池同士が並ぶ方向、二次電池の幅方向及び二次電池の高さ方向に沿って第１二次電池１０Ａに対して第２二次電池１０Ｂが変位したときにバスバ２０に生じる応力が緩和される。
【００２５】
また、容器並び方向の寸法を短縮しつつ、バスバ２０に生じる応力を低減することが可能である。
【００２６】
なお、今回開示された実施形態はすべての点で例示であって、制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００２７】
例えば、第１接続部２１及び第２接続部２２は、平坦に形成されてもよい。
【００２８】
また、第１二次電池１０Ａの正極端子１２及び負極端子１３と、第２二次電池１０Ｂの正極端子１２及び負極端子１３とが一直線状に並ぶように第１二次電池１０Ａ及び第２二次電池１０Ｂが配置され、バスバ２０は、第１二次電池１０Ａの正極端子１２と第２二次電池１０Ｂの負極端子１３とを接続してもよい。この場合、容器並び方向は、容器１１の幅方向と平行となる。
【符号の説明】
【００２９】
１  電池パック、１０Ａ  第１二次電池、１０Ｂ  第２二次電池、１１  容器、１２  正極端子、１３  負極端子、２０  バスバ、２１  第１接続部、２２  第２接続部、２３  中間部。
【図１】
2020140809.tif 000003
【図２】
2020140809.tif 000004